(57)【特許請求の範囲】
【請求項１】
基板上に接着されている樹脂層に電極面を露出して埋め込まれている複数個の、少なくとも電極が一方の面上にのみ設けられた半導体チップ又は少なくとも電極が一方の面上にのみ設けられたチップ状電子部品を備えている、マルチチップモジュール作製用の疑似ウエハを作製する方法であって、
紫外光を照射する処理、又は加熱により発泡させる処理を施すことにより粘着力が低下する粘着テープ上に、良品として確認された半導体チップ又はチップ状電子部品のみを、前記半導体チップ又は前記チップ状電子部品の電極面を前記粘着テープと接触させて、接着させる工程と、
前記半導体チップ又は前記チップ状電子部品の電極面を前記粘着テープと接触させた状態で、前記半導体チップ又は前記チップ状電子部品を埋め込みつつ前記粘着テープ上に樹脂層を形成する工程と、
前記樹脂層の平面的寸法より大きな基板を前記樹脂層上に貼り付ける工程と、
前記樹脂層を硬化させる工程と、
前記紫外光を照射する処理、又は前記加熱により発泡させる処理を施して前記粘着テープの粘着力を低下させ、前記粘着テープを前記樹脂層及び前記半導体チップ又は前記チップ状電子部品から剥離させる工程と
を含む
疑似ウエハを作製する方法。
【請求項２】
前記樹脂層を形成する工程では、射出成形法又は型成形法によって樹脂を成形することにより、前記樹脂層を形成する
請求項１に記載の疑似ウエハを作製する方法。
【請求項３】
前記半導体チップ又は前記チップ状電子部品を接着させる工程では、前記半導体チップ又は前記チップ状電子部品を所定の配列で前記粘着テープ上に接着させる
請求項１又は２に記載の疑似ウエハを作製する方法。
【請求項４】
前記基板は、シリコン半導体基板である
請求項１〜３のいずれかに記載の疑似ウエハを作製する方法。
【発明の詳細な説明】
【０００１】
【発明の属する技術分野】
本発明は、マルチチップモジュール作製用の疑似ウエハ、及びその作製方法に関し、更に詳細には、反り等の変形が発生せず、従来のウエハ・ハンドリング装置により容易にハンドリングできるようにした疑似ウエハ、及びその作製方法に関するものである。
【０００２】
【従来の技術】
半導体装置の高密度実装の要求に伴い、パッケージＩＣの小型化を図るために、ＱＦＰ（Quad Flat Package）等の従来のパッケージＩＣに代る新しいパッケージＩＣの開発が求められている。
そして、新しいパッケージＩＣの一つとして、ＣＳＰ（Chip Scale Package）が開発され、一部実用化されつつあるものの、ベアチップでフリップチップ方式による実装が可能なＩＣが求められている。
【０００３】
そこで、デジタル電子機器の回路ブロックが、特定の回路構成の特定回路ブロックと、他のデジタル電子機器と共通の回路構成の共通回路ブロックとで構成されていることが多いことに注目して、半導体装置を構成する回路ブロックをマルチチップパッケージ化、つまりマルチチップモジュール（ＭＣＭ：Multi Chip Module）化することが試みられている。
例えば、デジタル携帯電話では、ＳＲＡＭ（スタティック・ラム）、フラッシュメモリー、マイクロコンピュータ等の各半導体素子を１個のパッケージとしたマルチチップモジュール化が進められている。
【０００４】
特に、最近の１チップシステムＬＳＩの分野では、ＭＣＭ技術は、システムＬＳＩの１チップパッケージ化にとって極めて有力で効果的な技術である。
例えば、メモリー素子、ロジック素子、更にはアナログＬＳＩを１チップ化する場合、従来のやり方で１チップ化しようとすると、各素子の構成に対応する異なったＬＳＩ加工プロセスを同一ウエハに施すことが必要になるので、マスク数やプロセス工程数が著しく増加してコストの増大を招き、また開発ＴＡＴ（Turn around time）の長期化が問題となり、製品歩留りの低下も懸念される。
そこで、各素子、ＬＳＩを個別に作り、ワイヤボンディング方式により、或いはフリップチップ方式により、ＭＣＭ化する方式が提案されている。
【０００５】
ここで、図３を参照して、ワイヤボンディング方式のＭＣＭの構成を説明する。図３（ａ）及び（ｂ）は、それぞれ、ワイヤボンディング方式のＭＣＭの構成を示す斜視図及び断面図である。
ワイヤボンディング方式のＭＣＭ１０は、図３に示すように、裏面に電極１１を有し、表面に電極１１と接続する配線パターン（図示せず）を有する回路基板１２と、回路基板１２上にダイボンディングされ、かつ回路基板１２上の配線パターンに金線等のワイヤ１３によりワイヤボンディングされた半導体チップ１４Ａ〜Ｃとから構成されている。
【０００６】
次に、図４を参照して、フリップチップ方式のＭＣＭの構成を説明する。図４（ａ）及び（ｂ）は、それぞれ、フリップチップ方式のＭＣＭの構成を示す斜視図及び断面図である。
フリップチップ方式のＭＣＭ２０は、図４に示すように、裏面に電極２２、電極２２と電気的に接続する接合電極２４を接合面に有する回路基板２６と、回路基板２６の接合電極２４にバンプ２８を介してフリップチップ方式でフェイスダウンで接合させた半導体チップ３０Ａ〜Ｃとから構成され、半導体チップ３０Ａ〜Ｃと回路基板２６との間はアンダーフィル材３２で充填されている。
ＭＣＭの薄型化及び小型化のためには、フリップチップ方式が、ワイヤボンディング方式に比べて有利であって、今後、フリップチップ方式が主流となると思われる。
【０００７】
【発明が解決しようとする課題】
ところで、フリップチップ方式のＭＣＭを作製するには、各半導体チップにバンプを形成することが必要であるが、ベアチップの形態の個々の半導体チップにバンプを形成するやり方は、ウエハ単位でウエハの各半導体チップにバンプを形成するやり方に比べて、著しくコスト高になる。
つまり、ウエハ上に形成されている半導体チップにウエハ毎に一括してバンプを形成するやり方が、技術的にもコスト的にも好ましい。
しかし、ウエハ毎に一括してバンプを形成する際には、ウエハ上の半導体チップが良品であろうと不良品であろうと、全半導体チップを一括して処理するので、最終的な製品であるＭＣＭの製品歩留りが悪いという問題があった。
ここでは、バンプ形成を例に上げて説明しているが、ＭＣＭに配線構造を形成する際にも、同様のことが該当する。
【０００８】
そこで、合格率の低い最先端のＬＳＩであっても、ウエハ一括処理の利点を活かしつつ、複数個の最先端のＬＳＩからなるＭＣＭを高い信頼性、高歩留り、低コストで作製するために、いわゆる疑似ウエハを形成する方法が、提案されている。
即ち、少なくとも電極が一方の面上にのみ設けられ、この一方の面以外の全面が連続した保護物質で覆われている半導体チップ等のチップ状電子部品の複数個又は複数種が、これらのチップ状電子部品の間及びその裏面に連続して被着された保護物質によって互いに固着されている疑似ウエハである。
【０００９】
ここで、図５を参照して、上述の疑似ウエハの構成を更に説明する。図５（ａ）及び（ｂ）は、それぞれ、疑似ウエハの構成を示す斜視図である。
疑似ウエハ４０は、図５（ａ）に示すように、良品の半導体ベアチップ４２のみを、電極面を露出させて、円形の樹脂製基板４４に埋め込んだものである。半導体チップ４２は、集積回路を形成したウエハをダイシングし、チップ化して得た、ＬＳＩチップ、メモリチップ等の半導体チップにオープン／ショート検査、ＤＣ（直流）電圧測定試験等の検査を施し、良品と確認された半導体チップである。
また、疑似基板４０は、図５（ｂ）に示すように、円形の樹脂基板ではなく、方形の樹脂製基板４６に埋め込んだ形でも良い。
【００１０】
以下に、図６から図８を参照して、疑似ウエハ４０の作製方法及びその利用方法を説明する。図６（ａ）から（ｄ）は、それぞれ、疑似ウエハを作製する際の工程毎の断面図であり、図７（ｅ）から（ｇ）、及び図８（ｈ）から（ｊ）は、疑似ウエハを利用する際の工程毎の断面図である。
図６（ａ）に示すように、仮の支持基板となる石英基板４８上に、紫外線が照射されると、粘着力が低下する粘着シート５０を貼り付ける。粘着シート５０は、例えば、ウエハプロセスの通常のダイシング工程で用いられている、例えばアクリル系の粘着シートである。
尚、石英基板に代えて、安価なガラス基板を使用することもできる。
【００１１】
次に、図６（ｂ）に示すように、良品と確認した複数個の半導体チップ４２を、チップ表面（電極面）を下にして所定の配列で粘着シート５０に貼り付ける。ここで重要なことは、良品の半導体チップのみを石英基板４８上に貼り付けることである。
次に、図６（ｃ）のように、半導体チップ４２上から有機系絶縁性樹脂、例えばアクリル系等の樹脂をスピンコート法又は印刷法等で均一に塗布して樹脂層５２を形成する。
次に、図６（ｄ）に示すように、石英基板４８の裏側４８ａから紫外線を照射して、粘着シート５０の粘着力を低下させて、粘着シート５０の粘着面５０ａから樹脂層５２及び半導体チップ４２を剥離して、樹脂層５２によって側面及び裏面が固められた複数の半導体チップ４２からなる疑似ウエハ４０を作製することができる。
【００１２】
次に、図７（ｅ）のように、半導体チップ４２の表面４２ａ（電極面）が上向きになるように疑似ウエハ４０をひっくり返して、表裏を逆にする。疑似ウエハ４０に保持されている半導体チップ４２は、図７（ｅ）の拡大図に示すように、Ｓｉ基板上にＳｉＯ2膜４２ｄを介してＡｌ電極パッド４２ｂが形成され、更に、Ａｌ電極パッド４２ｂ及びＳｉＯ2 膜４２ｄは、Ａｌ電極パッド４２ｂの上面を除いて、パッシベーション膜４２ｃで被覆されている。
次に、図７（ｆ）に示すように、Ａｌ電極パッド４２ｂの露出した上面のみに、Ｎｉ無電解めっき法により選択的にＮｉ無電解めっき層（ＵＢＭ、Under Bump Metal）５３を形成する。
次いで、図７（ｇ）に示すように、印刷マスク５４を当てて、はんだペースト５６を印刷法によりＮｉ無電解めっき層（ＵＢＭ）５３上に転写する。
【００１３】
続いて、図８（ｈ）に示すように、ウエットバック（加熱溶融）法ではんだペースト５６を溶融して、はんだバンプ５８を形成する。このように、Ｎｉ無電解めっき法及びはんだペーストスクリーン印刷法等を用いることにより、フォトプロセスを用いることなく、容易にはんだバンプ５８を形成することができる。
なお、このＮｉ無電解めっき層（ＵＢＭ）５３は、Ａｌ電極パッド４２ｂの上面をリン酸系エッチ液で前処理した後に、Ｚｎ処理によりＺｎを置換析出させ、さらにＮｉ−Ｐめっき層に浸漬させることにより、容易に形成でき、Ａｌ電極パッド４２ｂとはんだバンプとの接続を助けるＵＢＭ（Under Bump Metal）として作用する。
【００１４】
次いで、図８（ｉ）に示すように、疑似ウエハ４０をスクライブライン６０に沿ってブレード６４等でダイシングして、複数個の半導体チップ４２を有するマルチチップモジュール（ＭＣＭ）６６を作製する。
続いて、図８（ｊ）に示すように、フリップチップ方式によりＭＣＭ６６をフェイスダウンで、ソルダー（はんだ）ペーストを有する配線基板６８上に位置決めし、リフロー法等によりはんだ接合する。
【００１５】
しかし、上述した方法のように、スピンコート法又は印刷法により樹脂を塗布し、半導体チップを樹脂で埋め固め、いわゆる疑似ウエハするやり方には、以下の問題があった。
第１の問題は、樹脂層を硬化させる再、樹脂層の収縮等によって疑似ウエハに反り等の変形が発生するということである。
第２の問題は、スピンコート法又は印刷方法により樹脂層を形成すると、樹脂層の裏面（半導体チップとは反対側の面）の状態が安定しない、つまり凹凸が生じてフラットにならないということから、どうしても裏面研磨の導入が必要になって、コスト高になるということである。
第３の問題は、上述の疑似ウエハでは、基板が樹脂基板であるので、通常のウエハプロセス装置の搬送系では、樹脂基板の変形、摩擦等によって疑似ウエハを円滑に搬送できなかったり、また、搬送系に設けられている静電チャック、センサ等が円滑に動作しなかったりして搬送を制御できないということである。
【００１６】
そこで、本発明の目的は、簡単な方法で、反り等の変形が発生せず、従来のウエハ・ハンドリング装置により容易にハンドリングできるようにした疑似ウエハを作製する方法を提供することである。
【００１７】
【課題を解決するための手段】
本発明者は、上記の問題を解決するために、半導体チップを埋め込んだ樹脂層の裏面にシリコンウエハを貼り付けて、樹脂硬化時に発生する反り等の変形を防止し、且つ疑似ウエハの裏面を平滑、平坦にすることにより、疑似ウエハの搬送の安定化、円滑化を実現することを着想し、実験の末に、本発明を発明するに到った。
【００２１】
上記目的を達成するために、本発明に係る擬似ウエハを作製する方法は、基板上に接着されている樹脂層に電極面を露出して埋め込まれている複数個の、少なくとも電極が一方の面上にのみ設けられた半導体チップ又は少なくとも電極が一方の面上にのみ設けられたチップ状電子部品を備えている、マルチチップモジュール作製用の疑似ウエハを作製する方法であって、紫外光を照射する処理、又は加熱により発泡させる処理を施すことにより粘着力が低下する粘着テープ上に、良品として確認された半導体チップ又はチップ状電子部品のみを、前記半導体チップ又は前記チップ状電子部品の電極面を前記粘着テープと接触させて、接着させる工程と、前記半導体チップ又は前記チップ状電子部品の電極面を前記粘着テープと接触させた状態で、前記半導体チップ又は前記チップ状電子部品を埋め込みつつ前記粘着テープ上に樹脂層を形成する工程と、前記樹脂層の平面的寸法より大きな基板を前記樹脂層上に貼り付ける工程と、前記樹脂層を硬化させる工程と、前記紫外光を照射する処理、又は前記加熱により発泡させる処理を施して前記粘着テープの粘着力を低下させ、前記粘着テープを前記樹脂層及び前記半導体チップ又は前記チップ状電子部品から剥離させる工程とを含む。
【００２２】
樹脂層を形成する工程では、射出成形法又は型成形法により樹脂を成形することにより、樹脂層を形成する。これにより、表面が平滑で平坦な樹脂層を形成することができるので、基板の貼り付けが容易になり、接着性が向上する。
半導体チップを接着させる工程では、半導体チップを所定の配列で粘着手段上に接着させる。また、粘着手段として、紫外光の照射により粘着力が低下する粘着テープ、又は加熱により発泡して粘着力が低下する熱発泡性テープを使用する。
【００２３】
本発明方法では、良品と確認された半導体チップのみを粘着テープに貼り付けているので、あたかも全チップが良品チップであるウエハとして疑似ウエハを作製することができる。また、良品の半導体チップのみを有する疑似ウエハに、ウエハ一括で、バンプ処理、再配線処理等を施すことが可能となり、マルチチップモジュールの製品歩留りが向上する。
更には、疑似ウエハをダイシングして、複数個の半導体チップを有するマルチチップモジュールを作製する際、半導体チップ間の樹脂層部分及び基板部分を切断することになるので、半導体チップ本体に歪み、バリ、亀裂等のダメージを与えないようにして、容易に疑似ウエハを切断することができる。
【００２４】
【発明の実施の形態】
以下に、実施形態例を挙げ、添付図面を参照して、本発明の実施の形態を具体的かつ詳細に説明する。
疑似ウエハの実施形態例
本実施形態例は、本発明に係る疑似ウエハの実施形態の一例であって、図１（ａ）及び（ｂ）は、それぞれ、本実施形態例の疑似ウエハの平面図及び図１（ａ）の線Ｉ−Ｉでの断面図である。
本実施形態例の疑似ウエハ７０は、図１に示すように、シリコン基板７２と、シリコン基板７２上に接着剤により接着されている断面円形の樹脂層７４と、シリコン基板７２と反対側の樹脂層７４の表面に電極面を露出して樹脂層７４に埋め込まれている複数個の半導体チップ７６とを備えている。
【００２５】
シリコン基板７２は、半導体装置の作製に際し、通常使用している８インチのシリコン半導体基板であって、樹脂層７４の直径より僅かに、例えば１００μｍ程度大きな直径を有する。シリコン基板７２は、８インチである必要はなく、６インチ、或いは１２インチでも良い。シリコン基板７２は、８インチ基板のときは基板厚さが６００〜６２５μｍであり、６インチ基板のときは基板厚さが５００〜５２５μｍである。
樹脂層７４は、シリコン系、セラミック系のモールド樹脂であって、シリコン基板７２が８インチのときには、樹脂層７４の厚さは約５００μｍである。
半導体チップ７６は、例えばＤＲＡＭメモリチップ、フラッシュメモリーチップ、ＳＲＡＭチップ、マイクロコンピュータチップ、更にＣＰＵ（中央演算処理ユニット）等であって、それぞれが既に検査により良品であると確認されているものである。
【００２６】
本実施形態例の疑似ウエハ７０は、樹脂層７４の裏面にシリコン基板７２で裏打ちされているので、従来の疑似ウエハとは異なり、反り、撓み等の変形が抑制されている。
また、疑似ウエハ７０の外形がシリコン基板７２で規定されているので、疑似ウエハ７０のハンドリングに際し、従来のウエハ・ハンドリング装置をそのまま使用することができる。
【００２７】
疑似ウエハの作製方法の実施形態例
本実施形態例は、本発明に係る疑似ウエハの作製方法を上述の疑似ウエハ７０の作製に適用した実施形態の一例である。図２（ａ）から図２（ｄ）は、それぞれ、本実施形態例の方法に従って疑似ウエハを作製する際の工程毎の断面図である。
先ず、図２（ａ）に示すように、粘着テープ７８上に半導体チップ７６を所定の配列で貼り付ける。
半導体チップ７６は、例えばＤＲＡＭメモリチップ、フラッシュメモリーチップ、ＳＲＡＭチップ、マイクロコンピュータチップ、更にＣＰＵ（中央演算処理ユニット）等であって、それぞれが既に検査により良品であると確認されているものである。
粘着テープ７８は、例えば約２００℃に加熱すると、発泡して、粘着力が低下する性質を有する粘着テープであって、市販品を使用することができる。また、従来と同様に、紫外光を照射すると、粘着力が低下する性質を有する粘着テープを使用しても良い。
【００２８】
次いで、図２（ｂ）に示すように、粘着テープ７８上の半導体チップ７６を埋め込みつつ粘着テープ７８上に、直径が８インチのウエハより僅かに小さく、膜厚が５００μｍのシリコン系樹脂からなる樹脂層７４を形成する。
樹脂層７４の形成は、例えば射出成形法又は型成形法により行う。これにより、印刷法、スピンコート法に比べて、樹脂面が平滑で平坦な樹脂層７４を成形でき、樹脂層７４上へのシリコン基板７２の接着が容易になると共に疑似ウエハ７０のハンドリングが円滑になる。
【００２９】
次に、図２（ｃ）に示すように、樹脂層７４の粘着テープ７８とは反対側の面に、樹脂層７４より直径が僅かに大きな８インチのシリコン基板７２を接着剤によって貼り付ける。続いて、樹脂層７４を２００℃以下の所定温度まで加熱して、樹脂層７４を硬化させる。
次いで、図２（ｄ）に示すように、粘着テープ７８を約２００℃に加熱して発泡させ、粘着力を低下させる。そして、樹脂層７４及び半導体チップ７６から剥離して、上下逆にすると、図１に示すような疑似ウエハ７０を作製することができる。
【００３０】
以下、本実施形態例の疑似ウエハ７０を使って、従来の疑似ウエハ４０と同様にして、はんだバンプを形成し、配線基板上に実装することができる。また、従来の半導体装置の配線構造の形成と同様にして、疑似ウエハ７０上の半導体チップ７６に配線構造を形成することもできる。
【００３１】
【発明の効果】
本発明によれば、基板と、基板上に接着されている樹脂層と、基板と反対側の樹脂層の表面に電極面を露出して樹脂層に埋め込まれている複数個の半導体チップとを備える、マルチチップモジュール作製用の疑似ウエハを実現している。
これにより、従来の疑似ウエハとは異なり、疑似ウエハの反り、撓み等の変形が抑制され、疑似ウエハの後続処理が容易になる。また、疑似ウエハの裏面を基板とすることにより、疑似ウエハの裏面が、平滑、平坦になり、疑似ウエハのハンドリングが容易になり、後続処理の製品歩留りが向上する。更には、基板としてシリコンウエハを使用することにより、通常のウエハプロセス装置の搬送系をそのまま使用することができる。
また、本発明では、粘着テープを使用する簡単な方法により疑似ウエハを作製することができるので、製作コストを低減することが可能となる。
本発明方法は、本発明に係る疑似ウエハの好適な作製方法を実現している。
【図面の簡単な説明】
【図１】図１（ａ）及び（ｂ）は、それぞれ、実施形態例の疑似ウエハの平面図及び図１（ａ）の線Ｉ−Ｉでの断面図である。
【図２】図２（ａ）から（ｄ）は、それぞれ、実施形態例の方法に従って疑似ウエハを作製する際の工程毎の断面図である。
【図３】図３（ａ）及び（ｂ）は、それぞれ、ワイヤボンディング方式のＭＣＭの構成を示す斜視図及び断面図である。
【図４】図４（ａ）及び（ｂ）は、それぞれ、フリップチップ方式のＭＣＭの構成を示す斜視図及び断面図である。
【図５】図５（ａ）及び（ｂ）は、それぞれ、疑似ウエハの構成を示す斜視図である。
【図６】図６（ａ）から（ｄ）は、それぞれ、従来の方法で疑似ウエハを作製する際の工程毎の断面図である。
【図７】図７（ｅ）から（ｇ）は、それぞれ、疑似ウエハを利用する際の工程毎の断面図である。
【図８】図８（ｈ）から（ｊ）は、それぞれ、図７（ｇ）に続いて、疑似ウエハを利用する際の工程毎の断面図である。
【符号の説明】
１０……ワイヤボンディング方式のＭＣＭ、１１……電極、１２……回路基板、１３……ワイヤ、１４……半導体チップ、２０……フリップチップ方式のＭＣＭ、２２……電極、２４……接合電極、２６……回路基板、２８……バンプ、３０……半導体チップ、３２……アンダーフィル材、４０……疑似ウエハ、４２……良品の半導体ベアチップ、円形の樹脂製基板、４６……方形の樹脂製基板、４８……石英基板、５０……粘着シート、５２……樹脂層、５３……Ｎｉ無電解めっき層（ＵＢＭ、Under Bump Metal）、５４……印刷マスク、５６……はんだペースト、５８……はんだバンプ、６０……スクライブライン、６４……ブレード、６６……マルチチップモジュール（ＭＣＭ）、６８……配線基板、７０……実施形態例の疑似ウエハ、７２……シリコン基板、７４……樹脂層、７６……半導体チップ、７８……粘着テープ。
【図１】
0004724988.tif 000002
【図２】
0004724988.tif 000003
【図３】
0004724988.tif 000004
【図４】
0004724988.tif 000005
【図５】
0004724988.tif 000006
【図６】
0004724988.tif 000007
【図７】
0004724988.tif 000008
【図８】
0004724988.tif 000009